(57)【要約】    【課題】簡単且つ迅速に交換することができる中通しタイプの釣用浮きの提供。    【解決手段】この釣用浮き１０は、ライン挿通孔１２が軸方向に沿って形成された中通しタイプである。釣用浮き１０は、ライン挿通孔１２に沿って延びる切断面１３によって二分割される。切断面１３は、螺旋曲面により構成される。浮き分割体１４、１５は、互いに螺合することによって釣用浮き１０を構成する。一方の浮き分割体１４が他方の浮き分割体１５に対して回転されることによって、釣用浮き１０が分解され、同時にライン挿通孔１２も縦方向に分割される。【選択図】図１
2005151978.tif 000002
【特許請求の範囲】
【請求項１】
ライン挿通孔が軸方向に沿って貫通形成された中通しタイプの釣用浮きであって、
ライン挿通孔に沿ってつる巻線状に延び且つライン挿通孔を軸方向に二分割する螺旋曲面からなる切断面によって二分割可能に構成されている釣用浮き。
【請求項２】
上記螺旋曲面は、ライン挿通孔の回りに（ｎ＋０．５：ｎは自然数）回転するように形成されている請求項１に記載の釣用浮き。
【請求項３】
上記切断面を挟んで対向配置され、合体状態を保持する一対の磁石が設けられている請求項１又は２に記載の釣用浮き。
【請求項４】
上記磁石のＮ極及びＳ極は、上記ライン挿通孔の両側に配置されている請求項１から３のいずれかに記載の釣用浮き。
【請求項５】
上記磁石は、浮力調整錘を兼ねている請求項３又は４に記載の釣用浮き。
【発明の詳細な説明】
【技術分野】
【０００１】
本発明は、釣りの際に使用される浮きに関するものである。
【背景技術】
【０００２】
釣りのジャンルに「浮き釣り」というものがある。図１０は、一般的な浮き釣りの仕掛けを示す模式図である。浮き釣りでは、中通しタイプの浮きが使用されることが多い（例えば、特許文献１〜特許文献５参照）。
【０００３】
中通しタイプの浮き１は、一般に略紡錘形に形成されており、その軸方向に沿ってライン挿通孔が設けられている。釣竿２に沿って案内されたライン３は、浮き１のライン挿通孔に挿通される。ライン３の先端部には、サルカンと称される連結具４を介してハリス５が連結される。なお、ハリス５の先端には針６が結び付けられている。また、ライン３の所定位置には、浮止具７が取り付けられている。この浮止具７は、針６、ハリス５及びライン３等がその自重によって水中に潜行していくことによって、相対的に浮き１に近接し当接する。これにより、仕掛けが水中に投入された際の、針６の水中での位置（俗に「タナ」と称される。）が決定されることになる。
【０００４】
【特許文献１】特開２００１−３０９７３９号
【特許文献２】特開２０００−２８７５９３号
【特許文献３】特開２０００−１２５７２９号
【特許文献４】特開２０００−６０３８３号
【特許文献５】特開平１１−１８６４７号公報
【発明の開示】
【発明が解決しようとする課題】
【０００５】
ところで、実釣においては、釣り場の状況（風、波、潮流等）に応じて浮きの重量（すなわち水中での浮力）や外形形状の大きさが変更される場合がある。つまり、浮き１が他の浮きに交換される場合がある。しかし、中通しタイプの浮きが交換される場合には、釣人は、浮きを交換する際に一旦ライン３を切断し、交換された他の浮きに再びライン３を挿通しなければならず、したがって、浮きの交換作業が繁雑であるという問題があった。かかる問題は、予め定められた時間内で釣果を競う競技会等においては、特に重大であった。
【０００６】
そこで、本発明の目的は、簡単且つ迅速に交換することができる中通しタイプの釣用浮きを提供することである。
【課題を解決するための手段】
【０００７】
(1) 上記目的が達成されるため、本発明に係る釣用浮きは、ライン挿通孔が軸方向に沿って貫通形成された中通しタイプの釣用浮きであって、ライン挿通孔に沿ってつる巻線状に延び且つライン挿通孔を軸方向に二分割する螺旋曲面からなる切断面によって二分割可能に構成されていることを特徴とするものである。
【０００８】
この構成によれば、釣用浮きは、切断面で二分割されることによって、一対の浮き分割体に分離されることになる。しかも、この切断面は、ライン挿通孔に沿って延びるので、当該釣用浮きは、軸方向に沿ってライン挿通孔と共に縦方向に分割される。ここで、上記切断面は、ライン挿通孔に沿ってつる巻線状に延び且つライン挿通孔を軸方向に二分割する螺旋曲面であるから、両浮き分割体は、互いに螺合可能な形状となる。
【０００９】
したがって、一方の浮き分割体が他方の浮き分割体にねじ込まれることによって、当該釣用浮きが組み立てられる。また、一方の浮き分割体が他方の浮き分割体に対して回転されるだけで、両者は、簡単に分離される。しかも、両浮き分割体が合体されているときは、両浮き分割体が互いに螺合状態となっているから、釣人が意図的に両者の螺合を解除する作業をしない限り、すなわち、釣人が意図的に一方の浮き分割体を他方の浮き分割体に対して相対的に回転させるという動作をしない限り、常時両者の合体状態は確実に維持される。
【００１０】
ところで、この釣用浮きがラインに装着されるときは、釣人は、ラインを中心として当該ラインがライン挿通孔間に嵌め込まれるように一対の浮き分割体を螺合させる。このとき、ライン挿通孔を分割する切断面が上記螺旋曲面であるから、当該螺旋曲面に沿う方向とライン挿通孔の方向とが一定の角度で交わることになる。したがって、浮き分割体が螺合するときに、ラインが上記螺旋曲面に噛み込んでしまうことが防止される。その結果、釣人は、釣用浮きの着脱作業を簡単且つ迅速に行うことができる。
【００１１】
(2) 特に、上記螺旋曲面は、ライン挿通孔の回りに（ｎ＋０．５：ｎは自然数）回転するように形成されているのが好ましい。つまり、上記螺旋曲面は、上記ライン挿通孔の回りを周回するように形成されるが、このときの螺旋曲面の回転数は、１．５回転や、２．５回転等、自然数回数プラス半回転されているのが好ましい。
【００１２】
この構成では、螺旋曲線の始端と終端との間で１８０°の位相差が生じる。これにより、例えば、釣用浮きが分割される場合において、釣人が当該釣用浮きを軸方向に沿って（ライン挿通孔に沿って）指で圧縮する際に、指を掛けやすくなる。両浮き分割体は、このように圧縮されるだけで、螺旋曲面によって構成されるリードに沿って互いにスライドするから、釣用浮きの分割作業が容易になるという利点がある。
【００１３】
(3) 上記合体状態を保持するための一対の磁石がさらに設けられていてもよい。この場合、一対の磁石は、上記切断面を挟んで対向配置されているのが好ましい。この構成では、磁力によって一対の浮き分割体の合体状態が保持されるので、釣人が意図的に一方の浮き分割体を他方の浮き分割体に対して相対的に回転させるという動作をしない限り、両者の合体状態は一層確実に維持される。
【００１４】
(4) 上記磁石のＮ極及びＳ極は、上記ライン挿通孔の両側に配置されているのが好ましい。この構成では、各磁石のそれぞれのＮ極及びＳ極は、ライン挿通孔を挟んで左右に配置されることになる。したがって、釣用浮きを構成する各浮き分割体は、同一形状に形成されることができ、これにより、釣用浮きは、２つの同一部品が組み合わされることによって構成される。その結果、釣用浮きの製造コストの低減が図られる。
【００１５】
(5) さらに、上記磁石は、浮力調整錘を兼ねているのが好ましい。これにより、釣用浮きの部品点数が削減され、一層コストダウンが図られる。
【発明の効果】
【００１６】
以上のように本発明によれば、釣用浮きは、ライン挿通孔が縦方向に二分割される状態で分割され得るから、当該釣用浮きが仕掛けに装着されている状態であっても、釣人は、当該釣用浮きを分割することによって、ラインを切断することなく当該釣用浮きを簡単且つ迅速に仕掛けから取り外すことができる。同様に、釣人は、ラインを切断することなく、釣用浮きを仕掛けに簡単且つ迅速に装着することができる。加えて、釣用浮きは、同一形状の浮き分割体が２つ組み合わされることによって構成され得るから、組立精度が高く且つ安価であるという利点がある。
【発明を実施するための最良の形態】
【００１７】
以下、適宜図面が参照されつつ、好ましい実施形態に基づいて本発明が詳細に説明される。
【００１８】
＜第１の実施形態＞
図１及び図２は、それぞれ、本発明の第１の実施形態に係る釣用浮きの正面図及び平面図である。
【００１９】
図１が示すように、この釣用浮き１０は、いわゆる中通しタイプであって、ライン１１が釣用浮き１０のライン挿通孔１２に挿通されることによって、当該釣用浮き１０がライン１１に装着されている。釣用浮き１０は、略紡錘形状に形成されており、所定の重量に設定されている。したがって、釣用浮き１０は、水中に投入された状態で、同図が示す姿勢となり、一定の浮力が生じる。なお、釣用浮き１０の外形形状は、略紡錘形に限定されるものではなく、他の種々の形状が採用され得る。
【００２０】
本実施形態に係る釣用浮き１０の特徴とするところは、この釣用浮き１０が軸方向（ライン挿通孔１２の中心）を中心として分割（すなわち縦方向に分割）されるようになっている点であり、これにより、釣用浮き１０は、ライン１１が切断されることなくライン１１から取り外されるようになっている。
【００２１】
釣用浮き１０は、例えば樹脂や木材等により構成され得る。釣用浮き１０は、切断面１３によって切断されている。この切断面１３は、ライン挿通孔１２に沿って延びている。具体的には、切断面１３は螺旋曲面として構成されており、ライン挿通孔１２に沿ってつる巻線状に延びている。そして、この切断面１３は、ライン挿通孔１２をも軸方向に二分割するように、釣用浮き１０を軸方向に分割している。
【００２２】
したがって、この螺旋曲面からなる切断面１３は、ライン挿通孔１２に沿って当該ライン挿通孔１２の回りを回転するように形成されており、本実施形態では、切断面１３の始端（釣用浮き１０の上端）から終端（釣用浮き１０の下端）に至るまでに、切断面１３は、１．５回転している。もっとも、切断面１３の回転数は、これに限定されるものではなく、他の回転数に設定されることも可能である。ただし、切断面１３の回転数は、（ｎ＋０．５：ｎは自然数）、つまり、自然数回プラス半回転されているのが好ましい。その理由は後述される。
【００２３】
図３は、釣用浮き１０が分割された状態を示す正面図である。
前述のように、釣用浮き１０は、切断面１３によって分割されているから、所要時において、釣用浮き１０は、切断面１３によって二分割され、二つの浮き分割体１４、１５に分解される。そして、釣用浮き１０がこのように分割されたときは、上記切断面１３は、ライン挿通孔１２をも縦方向に分割する。一方、二つの浮き分割体１４、１５は、切断面１３に沿って螺合されることによって、再び釣用浮き１０が組み立てられる。もっとも、この状態で、上記ライン挿通孔１２も構成される。
【００２４】
このように、本実施形態に係る釣用浮き１０は、ライン挿通孔１２が縦方向に二分割される状態で分解されるから、釣用浮き１０がライン１１に装着されている状態（図１参照）であっても、釣人は、釣用浮き１０を分割することによって、ライン１１を切断することなく釣用浮き１０を簡単且つ迅速にライン１１から取り外すことができる。同様に、釣人は、ライン１１を浮き分割体１４、１５のうちいずれか一方側のライン挿通孔１２に沿わせた状態で、両浮き分割体１４、１５を互いに螺合させることにより、ライン１１を切断することなく、釣用浮き１０をライン１１に簡単且つ迅速に装着することができる。このことは、すなわち、釣人は、ライン１１を切断することなく、釣用浮き１０をライン１１に着脱することができることを意味し、これにより、実釣において、釣り場の状況に応じて釣用浮きを交換する必要が生じたときに、釣人は、迅速に対応することができる。
【００２５】
本実施形態では、上記切断面１３が螺旋曲面により構成されているから、一方の浮き分割体１４が他方の浮き分割体１５にねじ込まれることによって、釣用浮き１０が組み立てられ、また、一方の浮き分割体１４が他方の浮き分割体１５に対して回転されるだけで、両者は、簡単に分割される。つまり、釣用浮き１０の組立及び分解がきわめて簡単な操作により行われる。
【００２６】
しかも、両浮き分割体１４、１５が合体されているときは、両者は互いに螺合されているから、釣人が意図的に両者の螺合を解除する作業をしない限り、常時両者の合体状態が維持され、その結果、実釣において釣用浮き１０が不用意にライン１１から外れてしまうことはない。また、浮き分割体１４、１５のいずれか一方にライン挿通孔１２を中心とする回転モーメントが加わらない限り、両浮き分割体１４、１５が分離されないので、例えば、実釣において釣用浮き１０が岩等に激しく衝突した場合であっても、その衝撃によって釣用浮き１０が二分割されてしまうこともない。
【００２７】
特に、本実施形態では、上記切断面１３は、ライン挿通孔１２に沿って１．５回転されているから、切断面１３の始端と終端との間で１８０°の位相差が生じる。これにより、釣人が釣用浮き１０を軸方向に沿って（ライン挿通孔１２に沿って）指で圧縮する際に、釣人にとって指を掛けやすくなり、浮き分割体１４、１５は、このように圧縮されるだけで、切断面１３によって構成されるリードに沿って互いにスライドする。したがって、釣用浮き１０の分割作業がきわめて容易に行われる。
【００２８】
本実施形態に係る釣用浮き１０は前述のように樹脂等から構成されるが、樹脂の種類が適宜選択されることにより、浮き分割体１４、１５の比重が調整される。その結果、釣用浮き１０の水中での浮力が自在に設定され、釣用浮き１０は、水面に浮かぶ浮きとしても構成され得るし、水中に沈む浮き（一般に「水中浮き」と称される。）としても構成され得る。なお、釣用浮き１０の水中での浮力は、浮き分割体１４、１５に所定重量の錘が取り付けられることによっても調整され得る。
【００２９】
＜第２の実施形態＞
次に、本発明の第２の実施形態について説明される。
図４は、本発明の第２の実施形態に係る釣用浮きの正面図であり、図５は分解斜視図である。
【００３０】
本実施形態に係る釣用浮き３０が上記第１の実施形態に係る釣用浮き１０と異なるところは、浮き分割体１４及び浮き分割体１５に一対の磁石３１、３２が設けられており、これらは上記切断面１３（螺旋曲面）を挟んで対向配意されている点である。この一対の磁石３１、３２によって、浮き分割体１４、１５の合体状態が保持される。なお、釣用浮き３０のその他の構成については、上記釣用浮き１０と同様である。
【００３１】
磁石３１及び磁石３２は同一形状を呈し、共に半円環状に形成されている。各磁石３１、３２は、例えば円環状の磁石が径方向に沿って切断されることによって構成され得る。本実施形態では、磁石３１は、浮き分割体１４の下端部に埋設されている。ただし、磁石３１は、その端面が浮き分割体１４の切断面１３に露出するように配置されていてもよいことは勿論である。浮き分割体１４が成形される際に、例えば磁石３１がインサートされることにより、磁石３１が内蔵された浮き分割体１４が構成される。磁石３１は、その一方端部がＮ極又はＳ極のいずれか一方となり、その他方端部がＮ極又はＳ極のいずれか他方となる。もっとも、浮き分割体１４が成形された後、浮き分割体１４の下端部に磁石３１が嵌め込まれる凹部が形成され、当該凹部に磁石３１が嵌合固定されるものであってもよい。
【００３２】
同様に、磁石３２は、浮き分割体１５の下端部に埋設されている。磁石３２も、その端面３３が浮き分割体１５の切断面１３に露出するように配置されていてもよい。浮き分割体１５が成形される際に、例えば磁石３２がインサートされることにより、磁石３２が内蔵された浮き分割体１５が構成される。もっとも、浮き分割体１５が成形された後、浮き分割体１５の下端部に磁石３２が嵌め込まれる凹部が形成され、当該凹部に磁石３２が嵌合固定されるものであってもよい。
【００３３】
浮き分割体１４と浮き分割体１５とが合体した状態では、磁石３２は、磁石３１と対向するように浮き分割体１５に固定されている。磁石３２は、磁石３１と同様に、その一方端面３３ａがＮ極又はＳ極のいずれか一方となり、磁石３２の他方端面３３ｂがＮ極又はＳ極のいずれか他方となる。ただし、磁石３１の一方端部がＮ極であるならば、これと対向する磁石３２の一方端面３３ａはＳ極となるように設定されている。すなわち、本実施形態では、磁石３１のＮ極及びＳ極と、磁石３２のＳ極及びＮ極とは、それぞれ上記ライン挿通孔１２の両側に配置されており、磁石３１のＮ極と磁石３２のＳ極とが対向し、磁石３１のＳ極と磁石３２のＮ極とが対向するようになっている。
【００３４】
言い換えれば、本実施形態では、磁石３１のＮ極及びＳ極と、磁石３２のＳ極及びＮ極とがそれぞれ上記ライン挿通孔１２の両側に（左右に）配置されるから、磁石３１が設けられた浮き分割体１４と磁石３２が設けられた浮き分割体１５とは、同一の構成とすることができる。つまり、釣用浮き３０は、２つの同一部品が組み合わされることによって構成され、その結果、釣用浮き３０の製造コストが低く抑えられる。
【００３５】
本実施形態に係る釣用浮き３０では、浮き分割体１４及び浮き分割体１５が合体したときは、磁石３１と磁石３２とが所定の磁力によって引き合うので、浮き分割体１４、１５の合体状態が保持される。したがって、釣人が意図的に一方の浮き分割体１４（１５）を他方の浮き分割体１５（１４）に対して相対的に回転させようとする動作をしない限り、両者の合体状態は、確実に維持されるという利点がある。
【００３６】
しかも、上記磁石３１、３２は、好適には鉄鋼材料から構成されるから、一般に比重が大きく、磁石３１、３２の重量設定の自由度が大きい。したがって、磁石３１、３２が予め所定の重量に容易に設定されることができ、これにより、磁石３１、３２は、釣用浮き３０の浮力調整錘を兼ねることができる。その結果、釣用浮き３０の製造コストの低減が図られるという利点もある。
【００３７】
次に、本実施形態の変形例について説明される。図６は、本実施形態の変形例に係る釣用浮きの正面図であり、図７は要部拡大斜視図、図８は分解斜視図である。
【００３８】
本変形例に係る釣用浮き４０が上記実施形態に係る釣用浮き３０と異なるところは、上記釣用浮き３０では、磁石３１、３２が浮き分割体１４、１５に埋設されていたのに対し、本変形例に係る釣用浮き４０では、釣用浮き４０の下端部４１が一対の磁石４２、４３から構成され、これら磁石４２、４３が上記切断面１３を挟んで対向配置されている点である。
【００３９】
図８が示すように、浮き分割体１４の下端部４４は、磁石４２により構成されている。この磁石４２は、鉄鋼材料からなる。この磁石４２は、例えば接着剤等により浮き分割体１４側に接着されている。なお、この磁石４２は浮き分割体１４の一部を構成するものであるから、磁石４２には、ライン挿通孔１２が設けられている。この磁石４２は、図７及び図８が示すように、ライン挿通孔１２の周りに螺旋状に捩られた形状を呈し、一方端部４５がＮ極を構成し、他方端部４６がＳ極を構成している。
【００４０】
また、浮き分割体１５の下端部４７は、磁石４３により構成されている。この磁石４３は、上記磁石４２と同様の形状であり、鉄鋼材料からなる。この磁石４３は、例えば接着剤等により浮き分割体１５側に接着されている。なお、この磁石４３は浮き分割体１５の一部を構成するものであるから、磁石４３には、ライン挿通孔１２が設けられている。この磁石４３は、図７及び図８が示すように、ライン挿通孔１２の周りに螺旋状に捩られた形状を呈し、一方端部４８がＳ極を構成し、他方端部４９がＮ極を構成している。なお、仮に上記磁石４２の一方端部４５がＳ極を構成し、他方端部４６がＮ極を構成するならば、磁石４３の一方端部４８がＮ極を構成し、他方端部４９がＳ極を構成する。要するに、磁石４２、４３は、浮き分割体１４、１５が合体した状態で、上記切断面１３を挟んで対向し、互いに引き合うように配置される。
【００４１】
本変形例においても、浮き分割体１４の下端部４４（磁石４２）のＮ極及びＳ極と、浮き分割体１５の下端部４７（磁石４３）のＳ極及びＮ極とは、それぞれ上記ライン挿通孔１２の両側に配置されており、上記下端部４４のＮ極と上記下端部４７のＳ極とが対向し、上記下端部４４のＳ極と上記下端部４７のＮ極とが対向するようになっている。換言すれば、上記下端部４４のＮ極及びＳ極と、上記下端部４７のＳ極及びＮ極とがそれぞれ上記ライン挿通孔１２の両側に（左右に）配置されるから、浮き分割体１４と浮き分割体１５とは、同一の構成とすることができる。つまり、釣用浮き４０は、２つの同一部品が組み合わされることによって構成され、その結果、釣用浮き４０の製造コストが低く抑えられる。
【００４２】
この釣用浮き４０においても、浮き分割体１４及び浮き分割体１５が合体したときは、磁石４２と磁石４３とが所定の磁力によって引き合うので、浮き分割体１４、１５の合体状態が保持される。したがって、釣人が意図的に一方の浮き分割体１４（１５）を他方の浮き分割体１５（１４）に対して相対的に回転させようとする動作をしない限り、両者の合体状態は、確実に維持される。
【００４３】
しかも、上記磁石４２、４３が鉄鋼材料から構成されることから、一般に磁石４２、４３の比重が大きい。したがって、磁石４２、４３が予め所定の重量に設定されることによって、磁石４２、４３は、釣用浮き４０の浮力調整錘を兼ねることができる。その結果、釣用浮き３０の部品点数が削減され、製造コストの低減が図られるという利点もある。
【００４４】
ところで、上記各実施形態に係る釣用浮き１０、３０、４０では、浮き分割体１４、１５が所定の重量に設定されることにより、釣用浮き１０、３０、４０の水中での浮力が決定される。前述のように、浮き分割体１４、１５は、紡錘形の釣用浮き１０、３０、４０が上記切断面１３に沿って二分割されたものであるから（図３、図５、図８参照）、互いに同一の形状である。しかも、浮き分割体１４、１５は、一般に金型により成形されるから、浮き分割体１４の重量と異なる重量の浮き分割体１５が容易に成形される。
【００４５】
したがって、釣人が予め重量の異なる複数の浮き分割体１４、１５を用意しておくことにより、釣人は、自己の所望の浮力の釣用浮きを構成することができる。浮き分割体１４、１５の重量の違いは、浮き分割体１４、１５に施される塗料の色によって区別される。実釣においては、釣人は、複数の浮き分割体１４、１５のうち任意の２つを組み合わせることによって、使用する釣用浮きの浮力をさまざまに変更することができる。しかも、浮き分割体１４、１５の重量が塗料の色によって区別される場合は、釣人にとってその重量の違いが一目瞭然であり、釣用浮きの浮力設定が迅速に行われる。
【００４６】
＜参考例＞
次に、本発明に関連する参考例について説明される。
図９は、本発明に関連する参考例に係る釣用浮き２０の分解斜視図である。
【００４７】
この参考例に係る釣用浮き２０が上記実施形態に係る釣用浮き１０と異なるところは、上記釣用浮き１０は、螺旋曲面からなる切断面１３によって切断されていたのに対し、釣用浮き２０は、平面からなる切断面２１によって切断されている点、切断面２１によって切断されることによって構成される浮き分割体２２、２３のうち、浮き分割体２２には係合突起２４が突設されており、一方、浮き分割体２３には、係合突起２４が係合される係合凹部２５が設けられている点、及び釣用浮き２０が水中に投入されたときに、当該釣用浮き２０がさらに安定した姿勢となるように錘２６が設けられている点である。
【００４８】
釣用浮き２０の外形形状は、上記釣用浮き１０と同様に略紡錘形に形成されている。釣用浮き２０を構成する材料についても、上記釣用浮き１０と同様に、樹脂や木材等が採用され得る。上記錘２６は、鉛、タングステン合金等の比重の大きい金属が採用される。本実施形態では、錘２６は、円柱状に形成され、釣用浮き２０の下端部に埋設されている。錘２６の中央部には貫通孔２７が設けられており、この貫通孔２７は、ライン挿通孔１２と一体的に連続している。
【００４９】
前述のように、切断面２１は、平面である。この切断面２１によって釣用浮き２０は、軸方向（すなわち、ライン挿通孔１２の方向）に沿って真っ二つに分割されている。したがって、切断面２１によって釣用浮き２０が分割されたときは、ライン挿通孔１２及び上記貫通孔２７も軸方向に分割される。
【００５０】
上記係合突起２４は、浮き分割体２３側の切断面２１に突設されている。釣用浮き２０では、係合突起２４は、切断面２１に直交するように設けられた棒状部材からなり、その先端部は、略球形に形成されている。一方、上記係合凹部２５は、浮き分割体２２側の切断面２１に設けられている。係合凹部２５の内径寸法は、係合突起２４の先端部の外径寸法に対応されており、係合凹部２５の深さ寸法は、係合突起２４が完全に収容されるために十分な寸法が設定されている。そして、係合突起２４が係合凹部２５に挿入されると、浮き分割体２２、２３は、隙間なく対向配置され、係合凹部２５は、係合突起２４を所定の保持力で保持する。これにより、両浮き分割体２２、２３は、当該所定の保持力で合体される。なお、釣用浮き２０では、係合突起２４及び係合凹部２５は、２つ設けられているが、これらの数量については何らの制限もなく、さらに多数設けられていてもよいし、単一であってもよい。
【００５１】
この釣用浮き２０では、浮き分割体２２、２３が対向配置されることによって、上記係合突起２４と係合凹部２５とが嵌め合わされ、これにより、釣用浮き２０が組み立てられ、ラインが挿通されるライン挿通孔１２が構成される。また、浮き分割体２２、２３が互いに離反されることによって、釣用浮き２０は、ライン挿通孔１２が縦方向に分割された状態で二分割される。
【００５２】
したがって、釣用浮き２０がラインに装着されている状態であっても、釣人は、釣用浮き２０を分割することによって、ラインを切断することなく釣用浮き２０を簡単且つ迅速にラインから取り外すことができる。同様に、釣人は、ラインを切断することなく、釣用浮き２０をラインに簡単且つ迅速に装着することができる。このことは、すなわち、釣人は、ラインを切断することなく、釣用浮き２０をラインに着脱することができることを意味し、これにより、実釣において、釣り場の状況に応じて釣用浮きを交換する必要が生じたときに、釣人は、迅速に対応することができる。
【００５３】
ただし、釣用浮き２０では、上記係合突起２４と係合凹部２５とが嵌め合わされることによって組み立てられるので、浮き分割体２２、２３の合体力が弱く、上記実施形態に係る釣用浮き１０に比べて両者が分離されやすい。そのため、実釣において釣用浮き２０が岩等に衝突した場合には、その衝撃によって二分割されてしまうおそれがある。
【００５４】
また、この参考例に係る釣用浮き２０では、上記ライン挿通孔１２を分割する切断面２１が平面であることから、浮き分割体２２、２３が合体されるときは、ラインがライン挿通孔１２と切断面２１との境界部分に挟み込まれてしまう（食い込んでしまう）おそれが強い。
【産業上の利用可能性】
【００５５】
本発明は、釣りに使用される浮きに適用され得る。
【図面の簡単な説明】
【００５６】
【図１】図１は、本発明の第１の実施形態に係る釣用浮きの正面図である。
【図２】図２は、本発明の第１の実施形態に係る釣用浮きの平面図である。
【図３】図３は、本発明の第１の実施形態に係る釣用浮きの分割正面図である。
【図４】図４は、本発明の第２の実施形態に係る釣用浮きの正面図である。
【図５】図５は、本発明の第２の実施形態に係る釣用浮きの分解斜視図である。
【図６】図６は、本発明の第２の実施形態の変形例に係る釣用浮きの正面図である。
【図７】図７は、本発明の第２の実施形態の変形例に係る釣用浮きの要部拡大斜視図である。
【図８】図８は、本発明の第２の実施形態の変形例に係る釣用浮きの分解斜視図である。
【図９】図９は、本発明に関連する参考例に係る釣用浮きの分解斜視図である。
【図１０】図１０は、従来の一般的な浮き釣りの仕掛けを図示した模式図である。
【符号の説明】
【００５７】
１０・・・釣用浮き
１１・・・ライン
１２・・・ライン挿通孔
１３・・・切断面
１４・・・浮き分割体
１５・・・浮き分割体
２０・・・釣用浮き
２１・・・切断面
２２・・・浮き分割体
２３・・・浮き分割体
２４・・・係合突起
２５・・・係合凹部
２６・・・鉛
２７・・・貫通孔
３０・・・釣用浮き
３１・・・磁石
３２・・・磁石
４０・・・釣用浮き
４１・・・下端部
４２・・・磁石
４３・・・磁石
４４・・・下端部
４５・・・一方端部
４６・・・他方端部
４７・・・下端部
４８・・・一方端部
４９・・・他方端部
【図１】
2005151978.tif 000003
【図２】
2005151978.tif 000004
【図３】
2005151978.tif 000005
【図４】
2005151978.tif 000006
【図５】
2005151978.tif 000007
【図６】
2005151978.tif 000008
【図７】
2005151978.tif 000009
【図８】
2005151978.tif 000010
【図９】
2005151978.tif 000011
【図１０】
2005151978.tif 000012